【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
被写体を撮影する際の撮影モードを選択可能であると共に、この選択モードで撮影された画像データを送信可能なデジタルカメラと、このデジタルカメラから画像データを受信した場合に、複数のアプリケーション処理の中から当該画像データに関するアプリケーション処理を選択して実行する管理装置を備えた画像管理システムであって、
前記デジタルカメラは、被写体の種類毎に用意されている複数の撮影モードの中から被写体の種類に応じた撮影モードを選択するモード選択手段と、この選択手段によって選択された撮影モードで撮影された画像データにその撮影モードの種類を示す情報を付加して前記管理装置に送信する送信手段とを具備し、
前記管理装置は、前記デジタルカメラから送信されて来た画像データをその撮影モードの種類を示す情報と共に受信する受信手段と、撮影モードの種類毎に用意されている複数のアプリケーション処理の中から前記受信した撮影モードの種類を示す情報に対応付けられているアプリケーション処理を選択する処理選択手段とを具備し、
たことを特徴とする画像管理システム。
【請求項２】
前記デジタルカメラは、シャッター速度、絞り調整、焦点調整、露出補正値、色補正値のうち、少なくとも、その何れかを含む撮影パラメータを被写体の種類毎に最適化した複数の撮影モードを有する、
ことを特徴とする請求項1記載の画像管理システム。
【請求項３】
前記デジタルカメラ側の複数の撮影モードは、被写体の種類が風景、人物、書画などに分類されている場合に、この分類毎に最適化された撮影モードであり、
前記管理装置側の複数のアプリケーション処理は、前記分類毎に最適化された処理内容のアプリケーション処理である、
ことを特徴とする請求項1記載の画像管理システム。
【請求項４】
撮影モードの種類を示す情報を画像データに付加する際の付加形態が各々異なる複数種のデジタルカメラが管理装置に接続されるシステム環境において、前記管理装置は、何れかのデジタルカメラが接続された場合に、このカメラの種類を特定する特定手段と、デジタルカメラの種類毎に設けられている前記処理選択手段のうち、前記特定手段によって特定されたカメラの種類に対応する処理選択手段によってアプリケーション処理を選択する、
ようにしたことを特徴とする請求項1記載の画像管理システム。
【請求項５】
前記モード選択手段によって選択された撮影モードで撮影された各画像データは、撮影モードの種類毎に分けた分類別フォルダに保存されており、この分類別フォルダ内の画像ファイルにその撮影モードの種類を示す情報を付加して管理装置に送信する際に、この画像ファイルに当該フォルダの分類を示す構造情報を付加して送信し、
前記処理選択手段は、受信したフォルダ構造情報に基づいて撮影モードの種類を判別して対応するアプリケーション処理を選択する、
ようにしたことを特徴とする請求項1記載の画像管理システム。
【請求項６】
前記モード選択手段によって選択された撮影モードで撮影された各画像データは、撮影モードの種類毎に決められている文字列がファイル名のデータ名称部分に付加された形態で保存されており、この画像ファイルにその撮影モードの種類を示す情報を付加して管理装置に送信する際に、この画像ファイルに当該ファイル名を付加して送信し、
前記処理選択手段は、受信したファイル名に含まれている文字列に基づいて撮影モードの種類を判別して対応するアプリケーション処理を選択する、
ようにしたことを特徴とする請求項1記載の画像管理システム。
【請求項７】
前記モード選択手段によって選択された撮影モードで撮影された各画像データは、撮影モードの種類毎に決められている文字列がファイル名の拡張子部分に付加された形態で保存されており、この画像ファイルにその撮影モードの種類を示す情報を付加して管理装置に送信する際に、この画像ファイルに当該ファイル名を付加して送信し、
前記処理選択手段は、受信したファイル名に含まれている拡張子に基づいて撮影モードの種類を判別して対応するアプリケーション処理を選択する、
ようにしたことを特徴とする請求項1記載の画像管理システム。
【請求項８】
コンピュータに対して、
被写体の種類毎に用意されている複数の撮影モードの中から被写体の種類に応じた撮影モードを選択するデジタルカメラ側の機能と、
選択された撮影モードで撮影された画像データにその撮影モードの種類を示す情報を付加して管理装置に送信するデジタルカメラ側の機能と、
デジタルカメラから送信されて来た画像データをその撮影モードの種類を示す情報と共に受信する管理装置側の機能と、
被写体の種類毎に用意されている複数のアプリケーション処理の中から前記受信した撮影モードの種類を示す情報に対応付けられているアプリケーション処理を選択する管理装置側の機能と、
を実現させるためのプログラム。
【請求項９】
被写体を撮影する際の撮影モードを選択可能であると共に、この選択モードで撮影された画像データを出力可能なデジタルカメラであって、
被写体の種類毎に用意されている複数の撮影モードの中から被写体の種類に応じた撮影モードを選択する選択手段と、
この選択手段によって選択された撮影モードで撮影された画像データをその撮影モードの種類を示す情報に対応付けて分類別に記憶する分類別記憶手段と、
この分類別記憶手段内の画像データを出力する場合に、この画像データにその撮影モードの種類を示す情報を所定の形式に従って付加して出力することによって、当該画像データを処理する管理装置に対して撮影モードの種類に対応するアプリケーション処理を選択して実行すべきことを指示する出力手段と、
を具備したことを特徴とするデジタルカメラ。
【請求項１０】
前記分類別記憶手段は、前記選択手段によって選択された撮影モードで撮影された各画像データを、撮影モードの種類毎に分けた分類別フォルダに保存し、
前記出力手段は、前記分類別記憶手段内の画像データを管理装置に送信する場合に、前記フォルダの分類を示す構造情報とともに出力することを特徴とする請求項９記載のデジタルカメラ。
【請求項１１】
前記分類別記憶手段は、前記選択手段によって選択された撮影モードで撮影された各画像データを、撮影モードの種類毎に決められている文字列がファイル名のデータ名称部分に付加された形態で保存し、
前記出力手段は、前記分類別記憶手段内の画像データを管理装置に送信する場合に、前記文字列がファイル名のデータ名称部分に付加された形態の画像ファイルを出力することを特徴とする請求項９記載のデジタルカメラ。
【請求項１２】
前記分類別記憶手段は、前記選択手段によって選択された撮影モードで撮影された各画像データを、撮影モードの種類毎に決められている文字列がファイル名の拡張子部分に付加された形態で保存し、
前記出力手段は、前記分類別記憶手段内の画像データを管理装置に送信する場合に、前記文字列がファイル名の拡張子部分に付加された形態の画像ファイルを出力することを特徴とする請求項９記載のデジタルカメラ。
【請求項１３】
コンピュータに対して、
被写体の種類毎に用意されている複数の撮影モードの中から被写体の種類に応じた撮影モードを選択する機能と、
選択された撮影モードで撮影された画像データをその撮影モードの種類を示す情報に対応付けて分類別に記憶されている状態において、この分類別の画像データを管理装置に送信する場合に、この画像データにその撮影モードの種類を示す情報を所定の形式に従って付加して送信することによって当該管理装置に対して撮影モードの種類に対応するアプリケーション処理を選択して実行すべきことを指示する機能と、
を実現させるためのプログラム。
【請求項１４】
被写体の種類毎に用意されている複数の撮影モードの中から被写体の種類に応じた撮影モードで撮影された画像データにその撮影モードの種類を示す情報を付加して送信する機能を備えたデジタルカメラから画像データを受信した場合に、複数のアプリケーション処理の中から当該画像データに関するアプリケーション処理を選択して実行する管理装置であって、
デジタルカメラによって撮影された画像データをその撮影モードの種類を示す情報と共に取得する取得手段と、
撮影モードの種類毎に用意されている複数のアプリケーション処理の中から前記取得した撮影モードの種類に対応するアプリケーション処理を選択する選択手段と、
を具備したことを特徴とする管理装置。
【請求項１５】
前記取得手段により取得した画像データが、撮影モードの種類を示す情報を画像データに付加する際の付加形態が各々異なる複数種のデジタルカメラのうちのいずれの種類のカメラで撮影された画像データであるかを特定する特定手段と、
前記選択手段は、前記特定手段により特定されたデジタルカメラの種類に応じた選択方法によって、前記取得した撮影モードの種類に対応するアプリケーション処理を選択することを特徴とする請求項1４記載の管理装置。
【請求項１６】
コンピュータに対して、
被写体の種類毎に用意されている複数の撮影モードの中から被写体の種類に応じた撮影モードで撮影された画像データにその撮影モードの種類を示す情報を付加して送信する機能を備えたデジタルカメラから送信されて来た画像データをその撮影モードの種類を示す情報と共に受信する機能と、
撮影モードの種類毎に用意されている複数のアプリケーション処理の中から前記受信した被写体の種類に対応するアプリケーション処理を選択する機能と、
を実現させるためのプログラム。
【手続補正２】
【補正対象書類名】明細書
【補正対象項目名】００１０
【補正方法】変更
【補正の内容】
【００１０】
請求項１記載の発明（第１の発明）は、被写体を撮影する際の撮影モードを選択可能であると共に、この選択モードで撮影された画像データを送信可能なデジタルカメラと、このデジタルカメラから画像データを受信した場合に、複数のアプリケーション処理の中から当該画像データに関するアプリケーション処理を選択して実行する管理装置を備えた画像管理システムであって、前記デジタルカメラは、被写体の種類毎に用意されている複数の撮影モードの中から被写体の種類に応じた撮影モードを選択するモード選択手段と、この選択手段によって選択された撮影モードで撮影された画像データにその撮影モードの種類を示す情報を付加して前記管理装置に送信する送信手段とを具備し、前記管理装置は、前記デジタルカメラから送信されて来た画像データをその撮影モードの種類を示す情報と共に受信する受信手段と、撮影モードの種類毎に用意されている複数のアプリケーション処理の中から前記受信した撮影モードの種類を示す情報に対応付けられているアプリケーション処理を選択する処理選択手段とを具備したことを特徴とする。
更に、コンピュータに対して、上述した請求項１記載の発明に示した主要機能を実現させるためのプログラムを提供する（請求項８記載の発明）。
【手続補正３】
【補正対象書類名】明細書
【補正対象項目名】００１３
【補正方法】変更
【補正の内容】
【００１３】
撮影モードの種類を示す情報を画像データに付加する際の付加形態が各々異なる複数種のデジタルカメラが管理装置に接続されるシステム環境において、前記管理装置は、何れかのデジタルカメラが接続された場合に、このカメラの種類を特定する特定手段と、デジタルカメラの種類毎に設けられている前記処理選択手段のうち、前記特定手段によって特定されたカメラの種類に対応する処理選択手段によってアプリケーション処理を選択する（請求項４記載の発明）。
【手続補正４】
【補正対象書類名】明細書
【補正対象項目名】００１４
【補正方法】変更
【補正の内容】
【００１４】
前記モード選択手段によって選択された撮影モードで撮影された各画像データは、撮影モードの種類毎に分けた分類別フォルダに保存されており、この分類別フォルダ内の画像ファイルにその撮影モードの種類を示す情報を付加して管理装置に送信する際に、この画像ファイルに当該フォルダの分類を示す構造情報を付加して送信し、前記処理選択手段は、受信したフォルダ構造情報に基づいて撮影モードの種類を判別して対応するアプリケーション処理を選択する（請求項５記載の発明）。
【手続補正５】
【補正対象書類名】明細書
【補正対象項目名】００１５
【補正方法】変更
【補正の内容】
【００１５】
前記モード選択手段によって選択された撮影モードで撮影された各画像データは、撮影モードの種類毎に決められている文字列がファイル名のデータ名称部分に付加された形態で保存されており、この画像ファイルにその撮影モードの種類を示す情報を付加して管理装置に送信する際に、この画像ファイルに当該ファイル名を付加して送信し、前記処理選択手段は、受信したファイル名に含まれている文字列に基づいて撮影モードの種類を判別して対応するアプリケーション処理を選択する（請求項６記載の発明）。
【手続補正６】
【補正対象書類名】明細書
【補正対象項目名】００１６
【補正方法】変更
【補正の内容】
【００１６】
前記モード選択手段によって選択された撮影モードで撮影された各画像データは、撮影モードの種類毎に決められている文字列がファイル名の拡張子部分に付加された形態で保存されており、この画像ファイルにその撮影モードの種類を示す情報を付加して管理装置に送信する際に、この画像ファイルに当該ファイル名を付加して送信し、前記処理選択手段は、受信したファイル名に含まれている拡張子に基づいて撮影モードの種類を判別して対応するアプリケーション処理を選択する（請求項７記載の発明）。
【手続補正７】
【補正対象書類名】明細書
【補正対象項目名】００１７
【補正方法】変更
【補正の内容】
【００１７】
請求項９記載の発明（第２の発明）は、被写体を撮影する際の撮影モードを選択可能であると共に、この選択モードで撮影された画像データを出力可能なデジタルカメラであって、被写体の種類毎に用意されている複数の撮影モードの中から被写体の種類に応じた撮影モードを選択する選択手段と、この選択手段によって選択された撮影モードで撮影された画像データをその撮影モードの種類を示す情報に対応付けて分類別に記憶する分類別記憶手段と、この分類別記憶手段内の画像データを出力する場合に、この画像データにその撮影モードの種類を示す情報を所定の形式に従って付加して出力することによって、当該画像データを処理する管理装置に対して撮影モードの種類に対応するアプリケーション処理を選択して実行すべきことを指示する出力手段とを具備したことを特徴とする。
更に、コンピュータに対して、上述した請求項９記載の発明に示した主要機能を実現させるためのプログラムを提供する（請求項１３記載の発明）。
【手続補正８】
【補正対象書類名】明細書
【補正対象項目名】００１８
【補正方法】変更
【補正の内容】
【００１８】
請求項１０記載の発明は、さらに、前記分類別記憶手段は、前記選択手段によって選択された撮影モードで撮影された各画像データを、撮影モードの種類毎に分けた分類別フォルダに保存し、前記出力手段は、前記分類別記憶手段内の画像データを管理装置に送信する場合に、前記フォルダの分類を示す構造情報とともに出力することを特徴とする。
請求項１１記載の発明は、さらに、前記分類別記憶手段は、前記選択手段によって選択された撮影モードで撮影された各画像データを、撮影モードの種類毎に決められている文字列がファイル名のデータ名称部分に付加された形態で保存し、前記出力手段は、前記分類別記憶手段内の画像データを管理装置に送信する場合に、前記文字列がファイル名のデータ名称部分に付加された形態の画像ファイルを出力することを特徴とする。
請求項１２記載の発明は、さらに、前記分類別記憶手段は、前記選択手段によって選択された撮影モードで撮影された各画像データを、撮影モードの種類毎に決められている文字列がファイル名の拡張子部分に付加された形態で保存し、前記出力手段は、前記分類別記憶手段内の画像データを管理装置に送信する場合に、前記文字列がファイル名の拡張子部分に付加された形態の画像ファイルを出力することを特徴とする。
請求項１４記載の発明は、被写体の種類毎に用意されている複数の撮影モードの中から被写体の種類に応じた撮影モードで撮影された画像データにその撮影モードの種類を示す情報を付加して送信する機能を備えたデジタルカメラから画像データを受信した場合に、複数のアプリケーション処理の中から当該画像データに関するアプリケーション処理を選択して実行する管理装置であって、デジタルカメラによって撮影された画像データをその撮影モードの種類を示す情報と共に取得する取得手段と、撮影モードの種類毎に用意されている複数のアプリケーション処理の中から前記取得した撮影モードの種類に対応するアプリケーション処理を選択する選択手段と、を具備したことを特徴とする。
請求項１５記載の発明は、さらに、前記取得手段により取得した画像データが、撮影モードの種類を示す情報を画像データに付加する際の付加形態が各々異なる複数種のデジタルカメラのうちのいずれの種類のカメラで撮影された画像データであるかを特定する特定手段と、前記選択手段は、前記特定手段により特定されたデジタルカメラの種類に応じた選択方法によって、前記取得した撮影モードの種類に対応するアプリケーション処理を選択することを特徴とする。
【手続補正９】
【補正対象書類名】明細書
【補正対象項目名】００１９
【補正方法】変更
【補正の内容】
【００１９】
請求項１記載の発明（第１の発明）の画像管理システムによれば、デジタルカメラで撮影された画像データを管理装置側で処理させる場合に、画像確認作業および特別な操作を強要することなく、被写体の種類に応じたアプリケーション処理を自動的に選択して実行することができ、ユーザに負担をかけず、確実な処理の実現が可能となる。
【手続補正１０】
【補正対象書類名】明細書
【補正対象項目名】００２２
【補正方法】変更
【補正の内容】
【００２２】
請求項４記載の発明によれば、撮影モードの種類を示す情報を画像データに付加する際の付加形態が各々異なる複数種のデジタルカメラが接続されるシステム環境下であっても、デジタルカメラの種類に拘らず、被写体の種類に応じたアプリケーション処理の自動選択が可能となる。
【手続補正１１】
【補正対象書類名】明細書
【補正対象項目名】００２３
【補正方法】変更
【補正の内容】
【００２３】
請求項５記載の発明によれば、例えば、階層構造など複雑なフォルダ構造で画像ファイルが分類保存されている場合でも、このフォルダ構造情報をそのまま撮影モードの種類を示す情報とすることができ、複雑なアプリケーション構造の中から必要なアプリケーションを選択することができる。
【手続補正１２】
【補正対象書類名】明細書
【補正対象項目名】００２４
【補正方法】変更
【補正の内容】
【００２４】
請求項６記載の発明によれば、撮影モードの種類をより具体的に示した文字列を付加することができ、細分化されたアプリケーション処理を選択することができる。
【手続補正１３】
【補正対象書類名】明細書
【補正対象項目名】００２５
【補正方法】変更
【補正の内容】
【００２５】
請求項７記載の発明によれば、拡張子によってファイル形式、圧縮形式を指示できる他、この拡張子で示されるアプリケーション処理を起動させることができる。
【手続補正１４】
【補正対象書類名】明細書
【補正対象項目名】００２６
【補正方法】変更
【補正の内容】
【００２６】
請求項９記載の発明（第２の発明）のデジタルカメラによれば、特別な操作を強要することなく、管理装置に対して撮影モードの種類に応じたアプリケーション処理を選択して実行させることができ、ユーザに負担をかけず、確実に処理させることが可能となる。
【手続補正１５】
【補正対象書類名】明細書
【補正対象項目名】００２７
【補正方法】変更
【補正の内容】
【００２７】
請求項１４記載の発明（第３の発明）の管理装置によれば、特別な操作を強要することなく、撮影モードの種類に対応するアプリケーション処理を実行することができ、ユーザに負担をかけず、確実な処理の実現が可能となる。